(57)【要約】      （修正有）【課題】積層された３切海苔の袋詰め包装装置に用いる供給トレー及び押し子を提供する。【解決手段】搬送コンベアのベーストレーに進退手段を介して接合される供給トレー１と、該供給トレー１に載置される３切海苔を収納袋に押し込む押し子８とから成り、前記供給トレー１は、被包装物たる積層された３切海苔１３を収納袋へ案内する載置供給路４が、底板２とその両側で相互に対向する断面コの字状の案内溝３とから成り、底板２はその幅寸法を積層された３切海苔１３の幅寸法に対応し、両案内溝３の上面にはその後方側に傾斜上面５を設け、その両側壁後端部には拡開側壁６を設け、底板２の後方両側には下り勾配の滑り台７が設けられて成り、押し子８は、操作用部材１２の前方で両案内溝３の上面内端間に収まる幅寸法の押え板９と、その後端下面に設けられるＬ形の海苔挟持部材１１とから成る。【選択図】図２
0003196408.tif 000002
【実用新案登録請求の範囲】
【請求項１】
供給トレーが、３切海苔の載置供給路を形成する底板と、該底板の両端の両側壁において、前記底板がその幅寸法を被包装物たる３切海苔の幅寸法に対応し、両側壁が対向する断面コの字状の案内溝にして、該案内溝の後方側に、その上面後方を所要寸法はね上げた傾斜上面が形成され、前記底板の後方両側にはその外端を案内溝の側壁内面に沿わせ、後端部から所要下り勾配の滑り台が配設されて成り、押し子が、前記供給トレーの両案内溝の上面内端間に収まる幅寸法の押え板と、該押え板の後端下面に形成されるＬ形の海苔挟持部材とから成ることを特徴とする３切海苔の袋詰め包装装置に用いる供給トレー及び押し子。
【請求項２】
前記供給トレーの両側壁後部に、それぞれ外方へ所要寸法拡開した拡開側壁が形成されて成ることを特徴とする請求項１記載の３切海苔の袋詰め包装装置に用いる供給トレー及び押し子。
【請求項３】
搬送コンベアの走行方向に３切海苔の載置供給路を直交して所要間隔でエンドレスに配設され、底板の後方両側にはその外端を案内溝の側壁内面に沿わせ、後端から所要下り勾配の滑り台が配設され、前記載置供給路の方向への進退手段に連係される供給トレーと、該供給トレーに収められる３切海苔を収納袋に押し込む操作用部材を備えた押し子とから成ることを特徴とする３切海苔の袋詰め包装装置。
【考案の詳細な説明】
【技術分野】
【０００１】
本考案は、積層された３切海苔の袋詰め包装装置に用いる供給トレー及び押し子に関する。
【背景技術】
【０００２】
全型（ゼンケイ）海苔や３切（サンサイ）海苔を包装する袋詰め技術において、所要枚数積層された全型海苔や３切海苔の品質を損なうことなく、能率的に収納袋に供給する全型海苔や３切海苔の袋詰め包装装置は未だ提供されていないのが現状である。
【先行技術文献】
【特許文献】
【０００３】
【特許文献１】実用新案登録第３１８５５４４号公報
【特許文献２】特許第４１６０６０６号公報
【考案の概要】
【考案が解決しようとする課題】
【０００４】
本考案は、上記従来技術に鑑みて、積層された３切海苔の袋詰め包装装置に用いる供給トレー及び押し子を提供することを目的とするものである。
【課題を解決するための手段】
【０００５】
本考案の３切海苔の袋詰め包装装置に用いる供給トレー及び押し子は、供給トレーが、３切海苔の載置供給路を形成する底板と、該底板の両端の両側壁において、前記底板がその幅寸法を被包装物たる３切海苔の幅寸法に対応し、両側壁が対向する断面コの字状の案内溝にして、該案内溝の後方側に、その上面後方を所要寸法はね上げた傾斜上面が形成され、底板の後方両側にはその外端を案内溝の側壁内面に沿わせ、後端から所要下り勾配の滑り台が配設されて成り、押し子が、前記供給トレーの両案内溝の上面内端間に収まる幅寸法の押え板と、該押え板の後端下面に形成されるＬ形の海苔挟持部材とから成る。
また、前記供給トレーの両側壁後部に、それぞれ外方へ所要寸法拡開した拡開側壁が形成されて成る。
本考案の３切海苔の袋詰め包装装置は、搬送コンベアの走行方向に３切海苔の載置供給路を直交して所要間隔でエンドレスに配設され、底板の後方両側にはその外端を案内溝の側壁内面に沿わせ、後端から所要下り勾配の滑り台が配設され、前記載置供給路の方向への進退手段に連係される供給トレーと、該供給トレーに収められる３切海苔を収納袋に押し込む操作用部材を備えた押し子とから成る。
【考案の効果】
【０００６】
本考案の３切海苔の袋詰め包装装置に用いる供給トレー及び押し子によれば、所要枚数積層した３切海苔が、傾斜上面又は／及び拡開側壁とによって、供給トレーの載置供給路へ簡易に供給され、しかも、その幅方向両端を案内溝の３方内面に沿わせ、滑り台によって案内溝の後方上部内面への押圧力を受けて供給トレーにしっかりと確保されるから、搬送コンベアによる搬送時には、風圧や振動などの外力によって吹き飛ばされることなく、また、押し子による押込み時には、押え板の下面と海苔挟持部材の載置片の上面とで挟持できるから、安全確実な案内となって最下部の３切海苔の損傷もなく、さらに、押し子の海苔挟持部材の垂直辺による積層３切海苔の密な後端の押し込みとなって、一枚毎の後端にかかる面圧が小さくなってその部分の損傷もなく、品質を損なうことなく能率的に押し込みできるなどの効果がある。
【図面の簡単な説明】
【０００７】
【図１】本考案の供給トレーの説明図で、（a）は平面図、（b）は右側面図、（c）は正面図である。
【図２】本考案の３切海苔の袋詰め包装装置に用いる供給トレー及び押し子の斜視図である。
【図３】本考案の３切海苔の袋詰め包装装置に用いる供給トレー及び押し子を用いる袋詰め装置の概略説明図である。
【図４】図３の袋詰め包装装置のＰ矢視による袋詰め部の概略説明図である。
【考案を実施するための形態】
【実施例】
【０００８】
本考案の３切海苔の袋詰め包装装置に用いる供給トレー及び押し子の一実施例を図面に基づいて以下に説明する。
図１の（a）平面図、（b）右側面図、（c）正面図に示すように、供給トレー１は、その底板２の幅寸法を３切海苔を案内するに足る寸法とし、そして、前記底板２の幅方向両端に形成する案内溝３は相互に対称な断面コの字状にして、その側壁の高さは積層（例えば、１０枚重ね）状態の３切海苔が収められる寸法であり、この底板２と左右の案内溝３によって３切海苔の載置供給路４が形成され、案内溝３の後方上面には後方側を所要にはね上げた傾斜上面５が形成され、後方両側壁には外方へ所要寸法拡開した拡開側壁６が形成され、底板２の後方両端部にはその外端を案内溝３の側壁内面に沿わせ、後端から所要下り勾配の滑り台７が配設されて成る。
【０００９】
図２の斜視図に示すように、押し子８は、両案内溝３の上面内端間の寸法より狭小な幅寸法（４２ｍｍ）で、長さ１４０ｍｍの押え板９と、該押え板９の後端に設け、その載置片１０の先端を前方に向けたＬ形の海苔挟持部材１１とを主要部とし、押え板９の後方には操作用部材１２が設けられる。
【００１０】
かくして、図２の斜視図の仮想線で示すように、供給トレー１の載置供給路４には所要枚数積層（１０枚重ね）した３切海苔１３が載置され、そのとき形成される滑り台７の載置面と底板２との空間１４に押し子８の海苔挟持部材１１の先端が挿し込まれ、ついには、海苔挟持部材１１の垂直辺の内面が積層された３切海苔１３の後端を押し込む状態になり、押え板９の下面と海苔挟持部材１１の載置片１０の上面とで積層された３切海苔１３が挟持されて供給トレー１の載置供給路４を収納袋１５に向けて押し子８で押し出される。
【００１１】
図３の概略説明図に示すように、搬送コンベア１６に配設される供給トレー１は、エンドレスチェーン１７に接合されるベーストレー１８に対して摺動自在に、かつ、スプリングの弾発力を介在して取着されるが、その配設ピッチは処理能力に対応して選択される。
供給トレー１の寸法は全長４１５ｍｍ、全幅７５ｍｍ、案内溝３の側壁の高さ２５乃至３０ｍｍ、先端部の円弧面の長さ４０ｍｍ、案内溝３の側壁の円弧加工の長さ３２ｍｍ、この円弧加工に続く案内溝３の上面の切欠き長さ２０ｍｍであるが、この数値そのものに限定されるものではない。
なお、案内溝３に形成される傾斜上５面の傾斜形状や拡開側壁の拡開形状は適宜な形状、好ましくは適宜な円弧形状が選択される。
また、押し子８の押え板９の幅寸法は、案内溝３の上面内端間の寸法（５３ｍｍ）より狭小であり、この押え板９の後端に設けられるＬ形の海苔挟持部材１１は、一体に折曲されるものから溶着されるもの、或は打ち抜き折曲されるものなどである。
【００１２】
そして、押え板９の後方に接合される操作用部材１２は、袋詰め操作に関与する昇降シリンダー３１の取付け位置やその昇降ロッド３２の動作に対応して寸法形状が決定される。
収納袋１５に関しては、袋口の反対側の閉止側にファスナーを設け、食用時にはこのファスナー側を開口して使用するものでは、単に重畳して袋ホッパー部２０の袋ホッパー２１に収納したのでは、ファスナー側が高くなって吸着パッド２６による吸着に支障を来たすことから、袋ホッパー部２０ではこのファスナー側を順次にずらして収納し、送りローラーで吸着位置に順次に送る仕様となるものであり、単なる合掌貼りによる収納袋の場合は提供済みの袋ホッパー２１で対応できることは勿論である。
【００１３】
本考案の３切海苔の袋詰め包装装置に用いる供給トレー及び押し子の操作動作を図面に基づいて以下に説明する。
本考案の３切海苔の袋詰め包装装置に用いる供給トレー及び押し子は、図３、図４の概略に示す自動包装を達成する袋詰め包装装置に用いられる。
すなわち、図外の駆動機構により駆動される搬送コンベア１６は架台上に軸支され、そのエンドレスチェーン１７に所要数接合されるベーストレー１８には、載置供給路４の方向に摺動自在に案内され、スプリングの弾発力で後退される案内ブロック（図示せず）が配設され、該案内ブロック（図示せず）に供給トレー１が接合される。
そして、予め準備された積層された３切海苔１３が図２の仮想線で示すように、その幅方向両端を案内溝３の内面に沿わせ、その後端に空間１４を形成して供給トレー１に供給される。
【００１４】
積層された３切海苔１３が載置された供給トレー１は、搬送コンベア１６によって袋詰め部１９へ搬送され、その位置で袋ホッパー部２０の袋ホッパー２１に収納された収納袋１５が、吸着部２２で昇降シリンダー２３の昇降ロッド２４により昇降する昇降体２５に設けた吸着パッド２６に吸着されて所定位置に位置決めされ、そして、袋口押え舌片２７によってその袋口が保持されるとともに、噴射ノズル２８からの空気噴射によって開口状態が保持されて待機する。
このとき、押出しシリンダー２９の押出しロッド３０が供給トレー１を開口状態の収納袋１５に所要位置まで押し込み、次いで、押し子８が昇降シリンダー３１による昇降ロッド３２の降下で所要位置に降下され、降下端で供給トレー１の供給路４の方向へ出入される出入シリンダー３３の操作で出入ロッド３４を左方へ引き込んで押し子８の押え板９と空間１４に潜り込む海苔挟持部材１１の載置片１０とで挟持しつつ、海苔挟持部材１１の垂直辺の内面によって積層された３切海苔１３の後端が収納袋１５へ向けて押し込まれる。
【００１５】
積層された３切海苔１３が押込み端に到達したら前記押出しロッド３０が引き込まれ、案内ブロック（図示せず）のスプリングによる後退によって供給トレー１が元位置に復帰し、次いで、出入シリンダー３３の出入ロッド３４を後退（右方へ進出）させ、所要位置まで押し子８を後退させた後、昇降シリンダー３１の昇降ロッド３２を上昇端まで上昇させて押し子８の元位置が確保される。
その後、収納袋１５の袋口が袋口押え舌片２７から解放されるとともに、吸着パッド２６による吸着も解放されて積層された３切海苔１３を収納した収納袋１５は、シール部３５と袋ホッパー部２０の間を往復動する移送テーブル３６に受け取られ、そこからシール部３５に移送されて袋口がシールされる。シールが完了した袋詰め製品（包装品）は図外の搬出コンベアでストック部にストックされる。
【００１６】
このようにして供給トレー１に供給された積層された３切海苔１３は順次に袋詰めされるが、押え板９と海苔挟持部材１１との挟持によって押し出され、このとき、積層された３切海苔１３の密な後端が海苔挟持部材１１の垂直辺の内面によって押し込まれるから、押込み時の３切海苔の一枚当たりの面圧が小さいものとなって、一枚一枚の３切海苔の後端の崩れがなく、しかも、最下部の３切海苔が海苔挟持部材１１の載置片１０の上面で受け止められるから脱落することもなく、押し子８による押込み時での損傷を与えることもない。
このように、本考案の３切海苔の袋詰め包装装置に用いる供給トレー及び押し子は海苔加工業界の包装工程において、能率的で高品質の積層された３切海苔１３の包装品の提供を確約できるものである。
【産業上の利用可能性】
【００１７】
本考案の３切海苔の袋詰め包装装置に用いる供給トレー及び押し子は、積層された３切海苔の包装の自動化に活用されるので、海苔加工業界延いては海苔生産業界に多大に貢献できるものである。
【符号の説明】
【００１８】
１  供給トレー
２  底板
３  案内溝
４  載置供給路
５  傾斜上面
６  拡開側面
７  滑り台
８  押し子
９  押え板
１０  載置片
１１  海苔挟持部材
１２  操作用部材
１３  積層３切海苔
１４  空間
１５  収納袋
１６  搬送コンベア
１７  エンドレスチェーン
１８  ベーストレー
１９  袋詰め部
２０  袋ホッパー部
２１  袋ホッパー
２２  吸着部
２３  昇降シリンダー
２４  昇降ロッド
２５  昇降体
２６  吸着パッド
２７  袋口押え舌片
２８  噴射ノズル
２９  押出しシリンダー
３０  押出しロッド
３１  昇降シリンダー
３２  昇降ロッド
３３  出入シリンダー
３４  出入ロッド
３５  シール部
３６  移送テーブル
【図１】
0003196408.tif 000003
【図２】
0003196408.tif 000004
【図３】
0003196408.tif 000005
【図４】
0003196408.tif 000006